(57)【特許請求の範囲】
【請求項１】
一方向から視認可能な多数の点光源からなる一方向点光源群と、
他方向から視認可能な多数の点光源からなる他方向点光源群と、
前記一方向点光源群の周囲に設けられて光の放散角度範囲を限定する第１ハウジングと、
前記他方向点光源群の周囲に設けられて光の放散角度範囲を限定する第２ハウジングと、
前記一方向点光源群および前記他方向点光源群がそれぞれ配置される２枚の基板と、
を備え、
前記一方向点光源群及び前記他方向点光源群では、点光源が互いに平行な複数列で配置されているとともに、前記一方向点光源群の各列と前記他方向点光源群の各列とが交互に配列されており、
前記２枚の基板が、それぞれ前記第１ハウジング内および前記第２ハウジング内に圧入されることにより固定されている、電光表示板。
【請求項２】
前記一方向が通路の一方向であり、前記他方向が前記通路の他方向である、請求項１に記載の電光表示板。
【請求項３】
前記第１ハウジングおよび前記第２ハウジングが断面矩形状であり、前記２枚の基板がそれぞれ前記第１ハウジングおよび前記第２ハウジングの対角線上に圧入されている、請求項１又は２に記載の電光表示板。
【請求項４】
前記一方向点光源群の各列の点光源列方向位置と、前記他方向点光源群の各列の点光源列方向位置とが互いに異なっている、請求項１〜３のうち何れか１項に記載の電光表示板。
【請求項５】
前記点光源がＬＥＤである、請求項１〜４のうち何れか１項に記載の電光表示板。
【請求項６】
請求項１〜５のうち何れか１項に記載の電光表示板と、
前記一方向点光源群及び前記他方向点光源群の各点光源の点滅を制御する制御手段と、
を備えた、電光表示装置。
【請求項７】
前記制御手段が、
前記一方向点光源群の各点光源の点滅を制御する第１制御装置と、
前記他方向点光源群の各点光源の点滅を制御する第２制御装置と、
で構成される、請求項６に記載の電光表示装置。
【請求項８】
長手方向に沿って切欠が形成された断面矩形状で細長状のハウジングと、前記ハウジング内にハウジング長手方向に沿って一列に配置され前記切欠によって光の放散角度範囲が限定されている複数の点光源と、前記ハウジング内に保持され前記複数の点光源が配置される基板と、を有する発光ユニットが基台上に複数列に配置され、
前記切欠がハウジング角部に形成され、発光ユニット長手方向から見て各発光ユニットの前記切欠の位置が揃っており、
前記基板が、前記ハウジングの対角線上に圧入されることにより固定されており、
背面側に隣接する発光ユニットからの光を反射する反射面が、前記ハウジングの背面側に形成されている、電光表示板。
【請求項９】
前記反射面は、前記ハウジングの背面側に設けられた金属箔によって形成されている、請求項８に記載の電光表示板。
【請求項１０】
請求項８又は９に記載の電光表示板と、
前記電光表示板に配置された各点光源の点滅を制御する制御手段と、
を備えた、電光表示装置。
【請求項１１】
通路の一方向から視認可能な多数の点光源からなる一方向点光源群と、
通路の正面側から視認可能な多数の点光源からなる正面方向点光源群と、
前記一方向点光源群の周囲に設けられて光の放散角度範囲を限定する第１ハウジングと、
前記正面方向点光源群の周囲に設けられて光の放散角度範囲を限定する第２ハウジングと、
前記一方向点光源群および前記正面方向点光源群がそれぞれ配置される２枚の基板と、
を備え、
前記一方向点光源群及び前記正面方向点光源群では、点光源が互いに平行な複数列で配置されているとともに、前記一方向点光源群の各列と前記正面方向点光源群の各列とが交互に配列されており、
前記２枚の基板が、それぞれ前記第１ハウジング内および前記第２ハウジング内に圧入されることにより固定されている、電光表示板。
【請求項１２】
前記第１ハウジングおよび前記第２ハウジングが断面矩形状であり、前記２枚の基板がそれぞれ前記第１ハウジングおよび前記第２ハウジングの対角線上に圧入されており、前記第１ハウジングによって前記正面方向点光源群の光の放散角度が限定されている、請求項１１に記載の電光表示板。
【発明の詳細な説明】
【技術分野】
【０００１】
本発明は、多数の点光源が配列された電光表示板、及び、それを備えた電光表示装置に関する。
【背景技術】
【０００２】
道路のガードレール横などに配置される看板は、車の走行性や人間の歩行性などを考慮すると、道路進行方向に対する横幅が小さいほうが好ましい。このため、特許文献１では、道路進行方向に対して傾斜するように、ＬＥＤを配列した電光表示板を設置することが提案されている。
【０００３】
この特許文献１では、電光表示板にＬＥＤを配列する際、ＬＥＤの光の指向性を利用して、電光表示板に対する道路遠方の車両には強い光が放射されるようにＬＥＤの向きを予め設定している。このように設定することで、電光表示板に近づいた車両には、弱い光であるがＬＥＤ側方から広い発光面積で光（漏れ光）が放散される。従って、道路遠方の車両にも道路に近づいた車両にもＬＥＤ光による表示を効率的に認識させることができ、視認範囲が広くなっている。
【先行技術文献】
【特許文献】
【０００４】
【特許文献１】特開２００８−１９１６４１号公報
【発明の概要】
【発明が解決しようとする課題】
【０００５】
ところで、このような電光表示板は、道路一方向から電光表示板に向けて移動する場合には有効であるが、２方向以上の方向から電光表示板に向けて移動する場合であっても、表示内容をこのように効率的に認識させることができると、電光表示板の利用範囲を更に広げることができて好ましい。
【０００６】
本発明は、上記事実を考慮して、複数方向からであっても各方向に対して視認範囲の広い電光表示板、及び、それを備えた電光表示装置を提供することを第１の課題とし、視認可能範囲を限定した電光表示板、及び、それを備えた電光表示装置を提供することを第２の課題とする。
【課題を解決するための手段】
【０００７】
請求項１に記載の発明は、一方向から視認可能な多数の点光源からなる一方向点光源群と、他方向から視認可能な多数の点光源からなる他方向点光源群と、前記一方向点光源群の周囲に設けられて光の放散角度範囲を限定する第１ハウジングと、前記他方向点光源群の周囲に設けられて光の放散角度範囲を限定する第２ハウジングと、前記一方向点光源群が配置される第１基板と、前記他方向点光源群が配置される第２基板と、を備え、前記一方向点光源群及び前記他方向点光源群では、点光源が互いに平行な複数列で配置されているとともに、前記一方向点光源群の各列と前記他方向点光源群の各列とが交互に配列されており、前記第１基板が前記第１ハウジング内に、前記第２基板が前記第２ハウジング内にそれぞれ圧入されることにより固定されている。
【０００８】
視認者が視認する一方向と他方向とは真反対方向であってもよい。
請求項１に記載の発明では、一方向点光源群の各点光源の点滅制御により一方向に文字等を表示するとともに、他方向点光源群の各点光源の点滅制御により他方向に文字等を表示できる電光表示板とすることができる。
【０００９】
そして、一方向点光源群の各列と他方向点光源群の各列とが交互に配列されている。従って、一方向側にのみ表示する電光表示板と他方向側にのみ表示する電光表示板との両者を設置する場合に比べ、設置する電光表示板の寸法を約半減させることが可能である。このことは、一方向点光源群の隣り合う列同士の間隔を広くして、電光表示板の表示面に直交する方向に対する視認可能角度を大きくした場合に、大きな寸法低減効果を得ることができる。また、光の放散角度範囲を限定する第１、第２ハウジングを備えているため、一方向点光源群からの光と他方向点光源群からの光とが干渉し合うことを回避できる。
【００１０】
請求項２に記載の発明は、前記一方向が通路の一方向であり、前記他方向が前記通路の他方向である。
これにより、通路の両方向に向けて、互いに異なる表示、又は、互いに同一の表示をすることができる。
【００１１】
請求項３に記載の発明は、前記第１ハウジングおよび前記第２ハウジングが断面矩形状であり、前記第１基板および前記第２基板が、それぞれ前記第１ハウジングおよび前記第２ハウジングの対角線上に圧入されている。
【００１２】
請求項４に記載の発明は、前記一方向点光源群の各列の点光源列方向位置と、前記他方向点光源群の各列の点光源列方向位置とが互いに異なっている。
請求項４に記載の発明では、一方向及び他方向から視認したときに、一方向点光源群の各点光源からの光と他方向点光源群の各点光源からの光とが重なって視認されることが充分に回避される。
【００１３】
請求項５に記載の発明は、前記点光源がＬＥＤである。
これにより、点光源に指向性を強く持たせることができ、また、反射板の内蔵が不要となり、電光表示板の薄型化が容易である。
【００１４】
請求項６に記載の発明は、請求項１〜５のうち何れか１項に記載の電光表示板と、前記一方向点光源群及び前記他方向点光源群の各点光源の点滅を制御する制御手段と、を備えている。
請求項６に記載の発明では、一方向点光源群の各点光源の点滅制御により一方向に文字等を表示するとともに、他方向点光源群の各点光源の点滅制御により他方向に文字等を表示できる電光表示装置とすることができる。
そして、一方向点光源群の各列と他方向点光源群の各列とが交互に配列されている。従って、一方向側にのみ表示する電光表示板と他方向側にのみ表示する電光表示板との両者を設置する装置に比べ、設置する電光表示板の寸法を約半減させることが可能である。
【００１５】
請求項７に記載の発明は、前記制御手段が、前記一方向点光源群の各点光源の点滅を制御する第１制御装置と、前記他方向点光源群の各点光源の点滅を制御する第２制御装置と、で構成される。
請求項７に記載の発明では、一方向点光源群の点光源と他方向点光源群の点光源とを別々の制御装置で制御することができる。
【００１６】
請求項８に記載の発明は、長手方向に沿って切欠が形成された断面矩形状で細長状のハウジングと、前記ハウジング内にハウジング長手方向に沿って一列に配置され前記切欠によって光の放散角度範囲が限定されている複数の点光源と、前記ハウジング内に保持され前記複数の点光源が配置される基板と、を有する発光ユニットが基台上に複数列に配置され、前記切欠がハウジング角部に形成され、発光ユニット長手方向から見て各発光ユニットの前記切欠の位置が揃っており、前記基板が、前記ハウジングの対角線上に圧入されることにより固定されており、背面側に隣接する発光ユニットからの光を反射する反射面が、前記ハウジングの背面側に形成されている。
請求項８に記載の発明では、発光ユニットの長手方向から見て、各発光ユニットで上記切欠の位置が揃っているので、各発光ユニットで光の放散領域が同じである。従って、光が放散される方向からは視認できるが、光が放散されない方向からは視認できない電光表示板とすることができる。このことは、通路等で一方向から歩いてくる歩行者には視認でき、一方向とは反対方向である他方向から歩いてくる歩行者には視認できない電光表示をする上で特に大きな効果を奏する。
【００１７】
また、ハウジングが、断面矩形状であり、切欠がハウジング角部に形成されているため、発光ユニットを基台上に載置することで切欠位置を容易に揃えることができる。
【００１８】
さらに、背面側に隣接する発光ユニットからの光を反射する反射面が、ハウジングの背面側に形成されているため、発光ユニットの点光源から放散された光の一部がこの反射面で反射される。
従って、光が放散される方向から視認できるとともに、光が放散される方向とは別方向であって反射面による反射方向から反射光を視認できる。
【００１９】
請求項９に記載の発明は、前記反射面が、前記ハウジングの背面側に設けられた金属箔によって形成されている。
これにより、ハウジング背面側に簡易な手法で反射率の高い反射面を形成することができる。
【００２０】
請求項１０に記載の発明は、請求項８又は９に記載の電光表示板と、前記電光表示板に配置された各点光源の点滅を制御する制御手段と、を備えている。
これにより、光が放散される方向からは視認できるが、光が放散されない方向からは視認できない電光表示装置とすることができる。
【００２１】
請求項１１に記載の発明は、通路の一方向から視認可能な多数の点光源からなる一方向点光源群と、通路の正面側から視認可能な多数の点光源からなる正面方向点光源群と、前記一方向点光源群の周囲に設けられて光の放散角度範囲を限定する第１ハウジングと、前記正面方向点光源群の周囲に設けられて光の放散角度範囲を限定する第２ハウジングと、前記一方向点光源群および前記正面方向点光源群がそれぞれ配置される２枚の基板と、を備え、前記一方向点光源群及び前記正面方向点光源群では、点光源が互いに平行な複数列で配置されているとともに、前記一方向点光源群の各列と前記正面方向点光源群の各列とが交互に配列されており、前記２枚の基板が、それぞれ前記第１ハウジング内および前記第２ハウジング内に圧入されることにより固定されている。
請求項１１に記載の発明では、通路の一方向から遠方位置では、一方向点光源群による電光表示を視認でき、通路正面に近づくと正面方向点光源群による電光表示を視認することができる。
なお、一方向点光源群と正面方向点光源群とで発光色を異ならせることで、より視認しやすい。
【００２２】
請求項１２に記載の発明は、前記第１ハウジングおよび前記第２ハウジングが断面矩形状であり、前記２枚の基板がそれぞれ前記第１ハウジングおよび前記第２ハウジングの対角線上に圧入されており、前記第１ハウジングによって前記正面方向点光源群の光の放散角度が限定されている。
これにより、一方向点光源群の第１ハウジングを利用して、正面方向点光源群の光の放散角度を限定することができる。
【発明の効果】
【００２３】
本発明によれば、複数方向からであっても各方向に対して視認範囲の広い電光表示板、及び、それを備えた電光表示装置が実現され、また、視認可能範囲を限定した電光表示板、及び、それを備えた電光表示装置が実現される。
【図面の簡単な説明】
【００２４】
【図１】第１実施形態に係る電光表示板が通路に沿って通路横に設置されている例を説明する模式的な平面図である。
【図２】第１実施形態に係る電光表示装置の構成を示す斜視図である。
【図３】第１実施形態に係る電光表示板を構成する一方向発光ユニットの側面断面図である。
【図４】第１実施形態に係る電光表示板で、電光表示板の通路一方向及び通路他方向から、電光表示板の遠方位置でも近接位置でも表示内容を視認できる原理を説明する説明図である。
【図５】第１実施形態に係る電光表示板の変形例が通路に沿って通路横に設置されていることを説明する模式的な平面図である。
【図６】第２実施形態でＬＥＤの配置位置を説明する平面図である。
【図７】第３実施形態でＬＥＤの配置位置を説明する平面図である。
【図８】図７の矢視８−８の断面図である。
【図９】第４実施形態に係る電光表示板を構成する発光ユニットの側面断面図である。
【図１０】第５実施形態に係る電光表示板を説明する模式的な平面図である。
【図１１】第６実施形態で、背中合わせに当接して配置された一方向発光ユニット及び他方向発光ユニットの側面断面図である。
【図１２】第７実施形態で、点光源としてランプが配置されていることを説明する側面断面図である。
【図１３】第７実施形態で、ランプが配置された一方向発光ユニットの側面断面図である。
【図１４】第７実施形態で、一方向発光ユニットのハウジングの切欠寸法を調整することで発光角度範囲を調整できることを説明する側面断面図である。
【図１５】第８実施形態で、上面に床面を形成する電光表示板を示す側面断面図である。
【図１６】第９実施形態に係る電光表示板を構成する発光ユニットの側面断面図である。
【図１７】第９実施形態で、電光表示板の表示内容を説明する説明図である。
【図１８】第１０実施形態に係る電光表示板を構成する発光ユニットの側面断面図である。
【図１９】第１１実施形態に係る電光表示板を構成する発光ユニットの側面断面図である。
【図２０】第１２実施形態に係る電光表示板が通路に沿って通路横に設置されている例を説明する模式的な平面図である。
【図２１】第１２実施形態に係る電光表示装置の構成を示す説明図である。
【図２２】第１２実施形態で、通路の一方側から視認した電光表示を示す説明図である。
【図２３】第１２実施形態で、通路の他方側から視認した電光表示を示す説明図である。
【発明を実施するための形態】
【００２５】
以下、実施形態を挙げ、本発明の実施の形態について説明する。なお、第２実施形態以下では、既に説明した構成要素と同様のものには同じ符号を付して、その説明を省略する。
【００２６】
［第１実施形態］
まず、第１実施形態について説明する。図１、図２に示すように、本実施形態に係る電光表示装置１０は、本実施形態に係る電光表示板１２と、電光表示板１２の各光源の点滅を制御する第１制御装置１４、第２制御装置１６とを備えている。
【００２７】
電光表示板１２は、歩行者用の通路Ｒの一方向Ｆから視認可能なように主光の中心方向が向けられた一方向点光源群２２と、通路Ｒの他方向Ｂ（一方向Ｆとは反対の方向）から視認可能なように主光の中心方向が向けられた他方向点光源群２４と、を有する。通路Ｒは、車両用道路などの建物外の通路であっても、地下道や建物内などの歩行者用通路であってもよい。なお、主光の発光範囲は、図１に示すように、光源中心方向Ｃに対して所定角度α（例えば１５°）の範囲内とされている。
【００２８】
本実施形態では、一方向点光源群２２及び他方向点光源群２４を構成する各点光源はＬＥＤ（発光ダイオード）２６で構成される。そして、一方向点光源群２２及び他方向点光源群２４では、ＬＥＤ２６が互いに平行な複数列で配置されているとともに、一方向点光源群２２の各列と、他方向点光源群２４の各列とが交互に配列され、各ＬＥＤ２６はドットマトリックス配置されている。
【００２９】
また、図２に示すように、電光表示板１２は、平面内に形成された剛性の格子状の基台３０と、基台３０上に交互に配列された、細長状若しくは短冊状の一方向発光ユニット３２、及び、細長状若しくは短冊状の他方向発光ユニット３４と、を備えている。
【００３０】
基台３０は、例えばステンレス鋼で構成された格子に塗装を施したものである。一方向発光ユニット３２及び他方向発光ユニット３４を基台３０に設置するには、接着剤で固定してもよいし、発光ユニットを着脱自在に保持する保持具を基台３０に予め配置しておいてもよい。
【００３１】
一方向発光ユニット３２は、一方向Ｆから視認する視認者側（以下、Ｆ側という）にＬＥＤ光が放散されるように切欠３５が形成された第１ハウジング３６（図３も参照）と、第１ハウジング３６内で対角線上に配置された基板３８と、基板３８上に一列に点光源列として配置された複数のＬＥＤ２６と、各ＬＥＤ２６に電気接続されたハーネス２８と、を備えている。そして、各一方向発光ユニット３２のＬＥＤ２６によって一方向点光源群２２が構成されている。
【００３２】
図３に示すように、基板表面側（切欠３５の側）は表側樹脂部４０で封止されている。基板裏面側では、両端部に樹脂封止部４１（図２参照）が形成されている。この構成により、基板裏面側は、基板３８と第１ハウジング３６と樹脂封止部４１とで空洞４２（図３参照）が形成されており、一方向発光ユニット３２の軽量化が図られている。
【００３３】
他方向発光ユニット３４の構成は一方向発光ユニット３２と同様であるが、他方向Ｂから視認する視認者側（以下、Ｂ側という）にＬＥＤ光が放散されるように、一方向発光ユニット３２に比べ、基台３０と平行な平面内で１８０°反転された位置に配置されている。そして、各他方向発光ユニット３４のＬＥＤ２６によって他方向点光源群２４が構成されている。他方向発光ユニット３４を構成する第２ハウジング３７（第１ハウジング３６を１８０°反転させたもの）には、Ｂ側にＬＥＤ光が放散されるように切欠３９が形成されている。
なお、一方向発光ユニット３２の各ＬＥＤ２６の列方向位置は各列で互いに同じ位置である。他方向発光ユニット３４の各ＬＥＤ２６の列方向位置も各列で互いに同じ位置である。
【００３４】
また、第１制御装置１４は、一方向点光源群２２の各ＬＥＤ、すなわち全ての一方向発光ユニット３２の各ＬＥＤ２６の点滅を制御する。第２制御装置１６は、他方向点光源群２４の各ＬＥＤ、すなわち全ての他方向発光ユニット３４の各ＬＥＤ２６の点滅を制御する。従って、Ｆ側とＢ側とで、別々の表示をすることができる、例えば、Ｆ側には「一方通行」の文字又は記号を表示し、Ｂ側には「進入禁止」の文字又は記号を表示をすることができる。
【００３５】
以下、図４を用いて、平板状の電光表示板１２で、通路Ｒの一方向Ｆ及び他方向Ｂから、電光表示板１２の遠方位置でも近接位置でも表示内容を視認できる原理を説明する。
【００３６】
電光表示板１２が天井面５０に沿って設けられているとする。そして、電光表示板１２には、一方向Ｆから見て、一方向点光源群２２を構成するＬＥＤのうち、視認者Ｍに最も遠い位置Ｐ１にＬＥＤ２６Ａが配置され、最も近い位置Ｐ２にＬＥＤ２６Ｂが配置されているとする。
【００３７】
電光表示板１２からの遠方位置Ｄで視認者Ｍが一方向Ｆから電光表示板１２を見たときには、ＬＥＤ２６の指向性により、ＬＥＤ２６ＡもＬＥＤ２６Ｂも視認者Ｍには同等の明るさに視認される。視認者Ｍが他方向Ｂから遠方位置で電光表示板１２を見ても、同様の原理で視認される。
【００３８】
電光表示板１２からの近接位置Ｎで視認者Ｍが一方向Ｆから電光表示板１２を見たときには、ＬＥＤ２６の粒（発光部）の広い側壁から周囲への散乱光（漏れ光）により、ＬＥＤ２６ＡもＬＥＤ２６Ｂも視認者Ｍに十分に視認される。視認者Ｍが他方向Ｂから近接位置で電光表示板１２を見ても同様に視認することができる。
【００３９】
従って、天井面５０やＬＥＤ２６の粒の側壁面など、視認者Ｍの進行方向に沿った平面内に薄板状の電光表示板１２を配置すると、通路Ｒの一方向Ｆ及び他方向Ｂの両方から、遠方位置であっても近接位置であっても、電光表示板１２の表示内容を視認することができる。しかも、第１制御装置１４で一方向点光源群２２の各ＬＥＤ２６の点滅を制御し、第２制御装置１６で他方向点光源群２４の各ＬＥＤ２６の点滅を制御するので、Ｆ側及びＢ側に互いに異なる内容で表示することができる。
【００４０】
以上説明したように、本実施形態によれば、１枚の電光表示板１２で、一方向Ｆ及び他方向Ｂの両方から、遠方位置であっても近接位置であっても視認可能なように電光表示認することができる。
【００４１】
そして、一方向点光源群２２のＬＥＤ２６を有する各一方向発光ユニット３２と、他方向点光源群２４のＬＥＤ２６を有する各他方向発光ユニット３４とが電光表示板１２の長手方向（すなわち通路Ｒの一方向Ｆ及び他方向Ｂに沿った方向）に交互に配列されている。従って、Ｆ側にのみ表示する電光表示板とＢ側にのみ表示する電光表示板とを設置する場合に比べ、設置する電光表示板の寸法を約半減させることができ、大きな寸法低減効果を得ることができる。
【００４２】
また、一方向点光源群２２のＬＥＤ２６の周囲に設けられて光の放散角度範囲を限定する第１ハウジング３６と、他方向点光源群２４のＬＥＤ２６の周囲に設けられて光の放散角度範囲を限定する第２ハウジング３７と、が設けられている。これにより、一方向点光源群２２からの光と他方向点光源群２４からの光とが干渉し合うことを回避できる。
【００４３】
また、基台３０が格子状なので、板状の場合に比べ、スリット効果が発生し、風通しが良く、風圧に強く、また、積雪等による氷の付着量を大幅に抑えることができる。
【００４４】
また、基板３８が、第１ハウジング３６及び第２ハウジング３７の対角線上に配置されており、基板３８をハウジング内に圧入することで基板３８の向き（角度）を設定方向とすることができる。
【００４５】
なお、一方向発光ユニット３２と他方向発光ユニット３４とで、ＬＥＤ２６のピッチ、ハウジング長、断面形状、配置数などを互いに異ならせてもよい。
また、ＬＥＤ２６の発光色は、全て同色であってもよいし、一方向発光ユニット３２と他方向発光ユニット３４とで互いに異なる発光色であってもよい。更には、一方向発光ユニット３２内や他方向発光ユニット３４内で複数色を発してもよい。また、明るさに分布を持たせてもよい。
また、本実施形態では、通路Ｒの一方向Ｆと他方向Ｂとの両方から視認できる例で説明したが、ＬＥＤ２６の指向方向の角度を調整することにより、通路の両方向に限らず、一方向と、これと異なる他方向との両方向に表示させることが可能である。
また、他方向点光源群２４を設けないで一方向点光源群２２のみを配列した電光表示板４６（図５参照）とすることで、通路Ｒの一方向Ｆから歩いてくる歩行者には視認でき、通路Ｒの他方向Ｂから歩いてくる歩行者には視認できない電光表示板４６とすることができる。
【００４６】
［第２実施形態］
次に、第２実施形態について説明する。
図６に示すように、本実施形態では、第１実施形態に比べ、一方向発光ユニット３２の各ＬＥＤ２６の列方向中間位置に、他方向発光ユニット３４の各ＬＥＤ２６が位置するように、一方向発光ユニット３２及び他方向発光ユニット３４が基台３０に設置されている。
これにより、通路Ｒの一方向Ｆ及び他方向Ｂから視認したときに、一方向点光源群２２の各ＬＥＤ２６からの光と他方向点光源群２４の各ＬＥＤ２６からの光とが重なって視認されることが充分に回避される。
なお、二点鎖線で示すように、他方向発光ユニット３４の端部のユニット長手方向位置が一方向発光ユニット３２のユニット長手方向と一致していなくてもよい。
【００４７】
［第３実施形態］
次に、第３実施形態について説明する。
図７、図８に示すように、本実施形態では、第１実施形態に比べ、一方向発光ユニット３２と他方向発光ユニット３４が背中合わせに当接した状態で配置されている。
これにより、ＬＥＤの配置数を減らさずにＬＥＤを高密度で配置でき、また、一方向発光ユニット３２及び他方向発光ユニット３４の配置構成を簡素にすることができる。
【００４８】
［第４実施形態］
次に、第４実施形態について説明する。
図９に示すように、本実施形態では、第３実施形態に比べ、一方向発光ユニット３２及び他方向発光ユニット３４に代えて、１つのハウジング５６内に、一方向点光源群２２（図１参照）を構成するＬＥＤ２６と他方向点光源群２４（図１参照）を構成するＬＥＤ２６とを配置した発光ユニット５８を配列している。ハウジング５６には、第３実施形態と同様に、切欠３５、３９（図８も参照）が形成されていて、Ｆ側及びＢ側の両側に電光表示可能となっている。
本実施形態により、部品点数を削減しても第３実施形態と同様の効果を奏することができる。
【００４９】
［第５実施形態］
次に、第５実施形態について説明する。
図１０に示すように、本実施形態では、一方向発光ユニット３２が、電光表示板６０の片面側６１でＦ側にＬＥＤ２６で電光表示するように配列され、他方向発光ユニット３４が、電光表示板６０の片面側６１とは反対面側６２でＢ側にＬＥＤ２６で電光表示するように配列されている。
これにより、例えば、列車の上り線と下り線との間に電光表示板６０を配置して、上り線側（一方向側）と下り線側（他方向側）とに、互いに異なる内容を表示することができる。なお、互いに同一の内容を表示することも勿論可能である。
【００５０】
［第６実施形態］
次に、第６実施形態について説明する。
図１１に示すように、本実施形態では、第３実施形態に比べ、他方向発光ユニット３４（図８参照）よりも断面寸法が小さい他方向発光ユニット７４を設けている。他方向発光ユニット７４に配置されたＬＥＤ７６の寸法は、一方向発光ユニット３２に配置されたＬＥＤ２６に比べ、同等、若しくは小さい。
これにより、あまり高い輝度で表示する必要のない側を他方向側にしたり、ドット配列数が少なくてより簡単なシンボルマークなどで発光ユニット長やその列数を減らしたりすることで、省エネ効果を図ることができる。
【００５１】
［第７実施形態］
次に、第７実施形態について説明する。
図１２、図１３に示すように、本実施形態では、第１実施形態に比べ、ＬＥＤ２６に代えて通常のランプ８６をハウジング内に配置した一方向発光ユニット８２及び他方向発光ユニット８４を配置している。
これにより、電光表示板の大幅なコストダウンを図ることができる。
なお、図１３、図１４に示すように、一方向発光ユニット８２のハウジングに、大きい寸法の切欠８５を形成してもよいし、小さい寸法の切欠９５を形成してもよい。このように、切欠寸法を調整することでランプ８６からの光の放散角度範囲（θ１、θ２）を調整することが可能である。
【００５２】
［第８実施形態］
次に、第８実施形態について説明する。図１５に示すように、本実施形態では、第１実施形態に比べ、歩行者の歩行面Ｓを透明な強化材１０２で形成し、その下側に電光表示板１００を設置した例である。
これにより、Ｆ側、Ｂ側の両側に互いに異なる内容を電光表示することができ、歩行者が左右や上方を見上げなくても、その表示内容を視認することができる。
【００５３】
［第９実施形態］
次に、第９実施形態について説明する。図１６に示すように、本実施形態では、第３実施形態に比べ、一方向発光ユニット３２と他方向発光ユニット３４との間に、電光表示板の表示面に直交する方向に向けられた中間発光ユニット１１２が設けられている。従って、一方向発光ユニット３２と他方向発光ユニット３４とが中間発光ユニット１１２を背中側で挟むように配置されている。
本実施形態では、一方向から歩いてきた歩行者は、遠方からは一方向発光ユニット３２による電光表示（例えば図１７に示す「一方通行」の文字１１４）を視認でき、電光表示板の近くに到達すると中間発光ユニット１１２による電光表示（例えば図１７に示す「⇒」のマーク１１６）を視認できる。そして、他方向から歩いてきた歩行者は、遠方からは他方向発光ユニット３４による電光表示（例えば図１７に示す「進入禁止」の文字１１８）を視認でき、電光表示板の近くに到達すると中間発光ユニット１１２による電光表示（例えば図１７に示す「⇒」のマーク１１６）を視認できる。
【００５４】
［第１０実施形態］
次に、第１０実施形態について説明する。図１８に示すように、本実施形態では、一方向発光ユニット３２と他方向発光ユニット３４とが背中合わせでなく互いに向き合う方向に配置され、その間に中間発光ユニット１２２が設けられている。従って、一方向発光ユニット３２と他方向発光ユニット３４とが中間発光ユニット１２２を正面側ではさむように配置されている。
本実施形態でも、第９実施形態と同様の電光表示をすることができる。
【００５５】
［第１１実施形態］
次に、第１１実施形態について説明する。図１９に示すように、本実施形態では、一方向発光ユニット１３０と一方向発光ユニット１３２を、一方向発光ユニット１３０の背中側に一方向発光ユニット１３２の正面側が当接するように配置している。
一方向発光ユニット１３０では、一方向発光ユニット１３２に比べ、遠方でのみＬＥＤ２６の光が視認されるように、一方向発光ユニット１３０を構成する第１ハウジング１３６の切欠１３５のうち通路側の切欠部１３５Ｔの寸法が小さくされている。この結果、一方向発光ユニット１３０の光の放散範囲１３８は一方向発光ユニット３２（図８参照）に比べて狭い。
一方向発光ユニット１３２では、一方向発光ユニット１３０に比べ、近接位置でのみＬＥＤ２６の光が視認されるように、一方向発光ユニット１３２を構成する第２ハウジング１４６の切欠１４５のうち通路側の切欠部１４５Ｔの寸法が調整されている。この調整では、切欠部１４５Ｔの寸法を大きくしてもよいし、小さくしてもよい。
本実施形態では、一方向発光ユニット１３０の第１ハウジング１３６によって、一方向発光ユニット１３２の光が遠方へ放散されないようになっている。従って、一方向から歩いてくる歩行者は、遠方では放散範囲１３８の光によって一方向発光ユニット１３２の電光表示のみを視認し、近接位置では一方向発光ユニット１３２の放散範囲１４０の光によって一方向発光ユニット１３２の電光表示のみを視認することができる。
【００５６】
［第１２実施形態］
次に、第１２実施形態について説明する。図２０に示すように、本実施形態に係る電光表示装置２１０は電光表示板２１２を備えている。この電光表示板２１２には、平面内に形成された剛性の格子状の基台３０（図２参照）に、一方向点光源群２２２が設けられている。図２１に示すように、この一方向点光源群２２２は、一方向発光ユニット２３２が列方向（配列方向）に所定間隔ｄで離れるように配置されたものである。所定間隔ｄは、一方向発光ユニット２３２のＬＥＤ２２６の放散角度、第１ハウジング３６の底面からのＬＥＤ２２６の高さ、などに基づいて決定される。
【００５７】
一方向発光ユニット２３２は、第１実施形態で説明した一方向発光ユニット３２に比べ、第１ハウジング３６の背面側（ＬＥＤ光が放散される側、すなわち切欠３５が形成されている側とは反対側）にアルミ箔２４０が貼り付けられたものである。そして、このアルミ箔２４０によって、背面側に隣接する一方向発光ユニット２３２からの光を反射する反射面２４２が形成されている。この構成により、一方向発光ユニット２３２のＬＥＤ２２６から放散された光の一部が、切欠３５側に隣接する一方向発光ユニット２３２の第１ハウジング背面側の反射面２４２で反射される。
従って、通路Ｒの一方向Ｆからは、一方向発光ユニット２３２から放散した光のうち、一方向発光ユニット２３２の切欠３５側に隣接するアルミ箔２４０で反射されなかった光２３３によって電光表示（例えば図２２参照）が視認される。
そして、通路Ｒの他方向Ｂからは、一方向発光ユニット２３２から放散した光のうちこのアルミ箔２４０によって反射した光２３４によって電光表示（例えば図２３参照）が視認される。
他方向Ｂから視認した電光表示内容は、鏡で通常の文字を反射させたような裏返し表示（逆さ表示）とはならず、一方向Ｆから視認したときと同じ電光表示内容となる。これは、通常の面反射を視認するのではなく、ドット光（ＬＥＤ光）の反射の集合体を他方向Ｂから視認しているためである。
【００５８】
このように、本実施形態では、ハウジング背面側に反射面２４２を形成した一方向発光ユニット２３２を配列することで、通路の両方向（一方向Ｆ、及び、他方向Ｂ）から同じ電光表示内容を視認することができる。
また、第１ハウジング３６の背面にアルミ箔２４０を貼り付けることで、反射率の高い反射面２４２を簡単に形成することができる。
【００５９】
なお、図２１に示すように、先端側の一方向発光ユニット２３２Ｔでは、ＬＥＤ２２６を設けずに第１ハウジング３６とアルミ箔２４０のみとしてもよい。また、後端側の一方向発光ユニット２３２Ｂでは、アルミ箔２４０を設けなくてもよい。
また、本実施形態では反射面２４２を形成するためにアルミ箔２４０を貼り付けているが、鏡、反射テープ、金属板など、ＬＥＤ光を反射して電光表示できるものであればアルミ箔以外の何であってもよい。
また、本実施形態では、列方向に隣り合う一方向発光ユニット２３２が所定間隔ｄで互いに離れている例で説明したが、列方向に隣り合う一方向発光ユニット２３２が互いに近接していても、一方向発光ユニット２３２から放散した光のうちこのアルミ箔２４０によって反射した光２３４によって、通路Ｒの他方向Ｂから電光表示（例えば図２３参照）を視認させることが可能である。
【００６０】
以上、実施形態を挙げて本発明の実施の形態を説明したが、これらの実施形態は一例であり、要旨を逸脱しない範囲内で種々変更して実施できる。また、本発明の権利範囲がこれらの実施形態に限定されないことは言うまでもない。
【符号の説明】
【００６１】
１０  電光表示装置
１２  電光表示板
１４  第１制御装置
１６  第２制御装置
２２  一方向点光源群
２４  他方向点光源群
２６、２６Ａ、２６Ｂ  ＬＥＤ
３０  基台
３２  一方向発光ユニット（発光ユニット）
３６  第１ハウジング
３７  第２ハウジング
４６  電光表示板
５６  ハウジング（第１ハウジング、第２ハウジング）
６０  電光表示板
７４  他方向発光ユニット
８６  ランプ
１００  電光表示板
１３０  一方向発光ユニット（一方向点光源群）
１３２  正面方向発光ユニット（正面方向点光源群）
１３６  第１ハウジング
１４６  第２ハウジング
２１０  電光表示装置
２１２  電光表示板
２２２  一方向点光源群
２３２  一方向発光ユニット
２２６  ＬＥＤ
２４０  アルミ箔
２４２  反射面
２３２Ｎ  一方向発光ユニット
Ｂ  他方向
Ｆ  一方向
Ｒ  通路
θ１  放散角度範囲
θ２  放散角度範囲
【図１】
0005496712.tif 000002
【図２】
0005496712.tif 000003
【図３】
0005496712.tif 000004
【図４】
0005496712.tif 000005
【図５】
0005496712.tif 000006
【図６】
0005496712.tif 000007
【図７】
0005496712.tif 000008
【図８】
0005496712.tif 000009
【図９】
0005496712.tif 000010
【図１０】
0005496712.tif 000011
【図１１】
0005496712.tif 000012
【図１２】
0005496712.tif 000013
【図１３】
0005496712.tif 000014
【図１４】
0005496712.tif 000015
【図１５】
0005496712.tif 000016
【図１６】
0005496712.tif 000017
【図１７】
0005496712.tif 000018
【図１８】
0005496712.tif 000019
【図１９】
0005496712.tif 000020
【図２０】
0005496712.tif 000021
【図２１】
0005496712.tif 000022
【図２２】
0005496712.tif 000023
【図２３】
0005496712.tif 000024